(57)【特許請求の範囲】
【請求項１】
ワイヤレス通信のための方法であって、
ネットワーク中で通信するための最小帯域幅と最大帯域幅の両方を示す１つまたは複数のビットを有するフレームを生成することと、ここにおいて、前記１つまたは複数のビットの異なる値が、最小帯域幅と最大帯域幅との異なる組合せにマッピングし、前記異なる値のうちの少なくとも１つが、最小帯域幅と最大帯域幅との少なくとも２つの異なる組合せにマッピングする、
前記ネットワーク中の送信のために前記フレームを出力することと
を備える、方法。
【請求項２】
前記フレームが管理フレームを備える、請求項１に記載の方法。
【請求項３】
前記フレームが、ビーコンフレームまたはプローブ応答フレームのうちの１つを備える、請求項１に記載の方法。
【請求項４】
前記最小帯域幅が、前記少なくとも２つの異なる組合せの各々についての前記最大帯域幅と同じである、請求項１に記載の方法。
【請求項５】
前記フレームを送信するために使用されるべき帯域幅に基づいて、前記少なくとも２つの異なる組合せのうちのどちらを使用すべきかを示すことをさらに備える、請求項１に記載の方法。
【請求項６】
前記１つまたは複数のビットが３ビットを備える、請求項１に記載の方法。
【請求項７】
前記３ビットが基本サービスセット（ＢＳＳ）帯域幅（ＢＷ）フィールドの３ビットを備える、請求項６に記載の方法。
【請求項８】
ワイヤレス通信のための方法であって、
ネットワーク中で送信されたフレームを取得することと、
前記フレーム中の１つまたは複数のビットに基づいて、前記ネットワーク中で通信するための最小帯域幅と最大帯域幅の両方を決定することと、ここにおいて、前記決定が、最小帯域幅と最大帯域幅との異なる組合せへの前記１つまたは複数のビットの異なる値のマッピングに基づいて行われ、前記異なる値のうちの少なくとも１つが、最小帯域幅と最大帯域幅との少なくとも２つの異なる組合せにマッピングする、
前記決定に少なくとも部分的に基づいて、前記ネットワーク中の通信のために出力することと
を備える、方法。
【請求項９】
前記フレームが管理フレームを備える、請求項８に記載の方法。
【請求項１０】
前記フレームが、ビーコンフレームまたはプローブ応答フレームのうちの１つを備える、請求項８に記載の方法。
【請求項１１】
前記最小帯域幅が、前記少なくとも２つの異なる組合せの各々についての前記最大帯域幅と同じである、請求項８に記載の方法。
【請求項１２】
前記フレームがその上で取得された帯域幅に基づいて、前記少なくとも２つの異なる組合せのうちのどちらを使用すべきかを決定することをさらに備える、請求項８に記載の方法。
【請求項１３】
前記１つまたは複数のビットが３ビットを備える、請求項８に記載の方法。
【請求項１４】
前記３ビットが基本サービスセット（ＢＳＳ）帯域幅（ＢＷ）フィールドの３ビットを備える、請求項１３に記載の方法。
【請求項１５】
ワイヤレス通信のための装置であって、
ネットワーク中で通信するための最小帯域幅と最大帯域幅の両方を示す１つまたは複数のビットを有するフレームを生成するように構成された処理システムと、ここにおいて、前記１つまたは複数のビットの異なる値が、最小帯域幅と最大帯域幅との異なる組合せにマッピングし、前記異なる値のうちの少なくとも１つが、最小帯域幅と最大帯域幅との少なくとも２つの異なる組合せにマッピングする、
前記ネットワーク中の送信のために前記フレームを出力するためのインターフェースと
を備える、装置。
【請求項１６】
前記フレームが管理フレームを備える、請求項１５に記載の装置。
【請求項１７】
前記フレームが、ビーコンフレームまたはプローブ応答フレームのうちの１つを備える、請求項１５に記載の装置。
【請求項１８】
前記最小帯域幅が、前記少なくとも２つの異なる組合せの各々についての前記最大帯域幅と同じである、請求項１５に記載の装置。
【請求項１９】
前記装置の前記処理システムが、前記フレームを送信するために使用されるべき帯域幅に基づいて、前記少なくとも２つの異なる組合せのうちのどちらを使用すべきかを示すようにさらに構成された、請求項１５に記載の装置。
【請求項２０】
前記１つまたは複数のビットが３ビットを備える、請求項１５に記載の装置。
【請求項２１】
前記３ビットが基本サービスセット（ＢＳＳ）帯域幅（ＢＷ）フィールドの３ビットを備える、請求項２０に記載の装置。
【請求項２２】
ワイヤレス通信のための装置であって、
ネットワーク中で送信されたフレームを取得するように構成されたインターフェースと、
前記フレーム中の１つまたは複数のビットに基づいて、前記ネットワーク中で通信するための最小帯域幅と最大帯域幅の両方を決定することと、ここにおいて、前記決定が、最小帯域幅と最大帯域幅との異なる組合せへの前記１つまたは複数のビットの異なる値のマッピングに基づいて行われ、前記異なる値のうちの少なくとも１つが、最小帯域幅と最大帯域幅との少なくとも２つの異なる組合せにマッピングし、前記決定に少なくとも部分的に基づいて、前記ネットワーク中の通信のために出力することとを行うように構成された処理システムと
を備える、装置。
【請求項２３】
前記フレームが管理フレームを備える、請求項２２に記載の装置。
【請求項２４】
前記フレームが、１つまたはビーコンフレームまたはプローブ応答フレームを備える、請求項２２に記載の装置。
【請求項２５】
前記最小帯域幅が、前記少なくとも２つの異なる組合せの各々についての前記最大帯域幅と同じである、請求項２２に記載の装置。
【請求項２６】
前記装置の前記処理システムは、前記フレームがその上で取得された帯域幅に基づいて、前記少なくとも２つの異なる組合せのうちのどちらを使用すべきかを決定するようにさらに構成された、請求項２２に記載の装置。
【請求項２７】
前記１つまたは複数のビットが３ビットを備える、請求項２２に記載の装置。
【請求項２８】
前記３ビットが基本サービスセット（ＢＳＳ）帯域幅（ＢＷ）フィールドの３ビットを備える、請求項２７に記載の装置。
【請求項２９】
ワイヤレス通信のための装置であって、
ネットワーク中で通信するための最小帯域幅と最大帯域幅の両方を示す１つまたは複数のビットを有するフレームを生成するための手段と、ここにおいて、前記１つまたは複数のビットの異なる値が、最小帯域幅と最大帯域幅との異なる組合せにマッピングし、前記異なる値のうちの少なくとも１つが、最小帯域幅と最大帯域幅との少なくとも２つの異なる組合せにマッピングする、
前記ネットワーク中の送信のために前記フレームを出力するための手段と
を備える、装置。
【請求項３０】
ワイヤレス通信のための装置であって、
ネットワーク中で送信されたフレームを取得するための手段と、
前記フレーム中の１つまたは複数のビットに基づいて、前記ネットワーク中で通信するための最小帯域幅と最大帯域幅の両方を決定するための手段と、ここにおいて、前記決定が、最小帯域幅と最大帯域幅との異なる組合せへの前記１つまたは複数のビットの異なる値のマッピングに基づいて行われ、前記異なる値のうちの少なくとも１つが、最小帯域幅と最大帯域幅との少なくとも２つの異なる組合せにマッピングする、
前記決定に少なくとも部分的に基づいて、前記ネットワーク中で通信するための手段と
を備える、装置。
【請求項３１】
ネットワーク中で通信するための最小帯域幅と最大帯域幅の両方を示す１つまたは複数のビットを有するフレームを生成するように構成された処理システムと、ここにおいて、前記１つまたは複数のビットの異なる値が、最小帯域幅と最大帯域幅との異なる組合せにマッピングし、前記異なる値のうちの少なくとも１つが、最小帯域幅と最大帯域幅との少なくとも２つの異なる組合せにマッピングする、
前記ネットワーク中の送信のために前記フレームを送信するように構成された送信機と
を備える、アクセスポイント。
【請求項３２】
ネットワーク中で送信されたフレームを受信するように構成された受信機と、
前記フレーム中の１つまたは複数のビットに基づいて、前記ネットワーク中で通信するための最小帯域幅と最大帯域幅の両方を決定することと、ここにおいて、前記決定が、最小帯域幅と最大帯域幅との異なる組合せへの前記１つまたは複数のビットの異なる値のマッピングに基づいて行われ、前記異なる値のうちの少なくとも１つが、最小帯域幅と最大帯域幅との少なくとも２つの異なる組合せにマッピングし、前記決定に少なくとも部分的に基づいて、前記ネットワーク中の通信のために出力することとを行うように構成された処理システムと
を備える、ワイヤレス局。
【請求項３３】
ネットワーク中で通信するための最小帯域幅と最大帯域幅の両方を示す１つまたは複数のビットを有するフレームを生成することと、ここにおいて、前記１つまたは複数のビットの異なる値が、最小帯域幅と最大帯域幅との異なる組合せにマッピングし、前記異なる値のうちの少なくとも１つが、最小帯域幅と最大帯域幅との少なくとも２つの異なる組合せにマッピングする、
前記ネットワーク中の送信のために前記フレームを出力することと
を行うための命令を記憶した、非一時的コンピュータ可読記憶媒体。
【請求項３４】
ネットワーク中で送信されたフレームを取得することと、
前記フレーム中の１つまたは複数のビットに基づいて、前記ネットワーク中で通信するための最小帯域幅と最大帯域幅の両方を決定することと、ここにおいて、前記決定が、最小帯域幅と最大帯域幅との異なる組合せへの前記１つまたは複数のビットの異なる値のマッピングに基づいて行われ、前記異なる値のうちの少なくとも１つが、最小帯域幅と最大帯域幅との少なくとも２つの異なる組合せにマッピングする、
前記決定に少なくとも部分的に基づいて、前記ネットワーク中で通信することと
を行うための命令を記憶した、非一時的コンピュータ可読記憶媒体。
【発明の詳細な説明】
【技術分野】
【０００１】
関連出願の相互参照
[0001]本出願は、それらのすべての全体が参照により本明細書に明確に組み込まれる、２０１４年１月９日に出願された米国出願第６１／９２５，６１２号、２０１４年１月２９日に出願された米国出願第６１／９３３，１６１号、および２０１４年１２月１８日に出願された米国特許出願第１４／５７５，７０５号の優先権の利益を主張する。
【０００２】
[0002]本開示のいくつかの態様は、一般にワイヤレス通信に関し、より詳細には、フレーム（たとえば、ショートフレーム）中の基本サービスセット（ＢＳＳ：Basic Service Set）帯域幅（ＢＷ：bandwidth）指示に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]より大きいカバレージおよび増加した通信範囲に対する要望に対処するために、様々な方式が開発されている。１つのそのような方式は、電気電子技術者協会（ＩＥＥＥ）８０２．１１ａｈタスクフォースによって開発されている（たとえば、米国では９０２〜９２８ＭＨｚ範囲中で動作している）サブ１ＧＨｚ周波数範囲である。この開発は、他のＩＥＥＥ８０２．１１技術の周波数範囲に関連するワイヤレス範囲よりも広いワイヤレス範囲と、障害に起因する経路損失に関連する潜在的により少数の問題とを有する周波数範囲を利用したいという要望によって推進されている。
【発明の概要】
【０００５】
[0005]添付の特許請求の範囲内のシステム、方法、およびデバイスの様々な実装形態の各々は、１つまたは複数の態様を有し、単一の態様が、単独で、本明細書で説明する望ましい属性を担当するわけではない。添付の特許請求の範囲を限定することなしに、いくつかの特徴について本明細書で説明する。この説明、特に「発明を実施するための形態」に鑑みて、様々な態様の特徴が、アクセスポイントなどのデバイスによって、ネットワーク中の通信のための最小帯域幅と最大帯域幅の両方を示すフレームを生成し、送信することをどのように可能にするかを理解されよう。さらに、様々な態様が、ユーザ機器などのデバイスによって、アクセスポイントから受信されたフレームに基づいてネットワーク中で通信するための最小帯域幅と最大帯域幅の両方を決定することをどのように可能にするかを理解されよう。
【０００６】
[0006]本開示の態様は、ワイヤレス通信のための装置を提供する。本装置は、概して、ネットワーク中で通信するための最小帯域幅と最大帯域幅の両方を示す１つまたは複数のビットを有するフレームを生成するように構成された処理システムと、ネットワーク中の送信のためにフレームを出力するように構成されたインターフェースとを含む。
【０００７】
[0007]本開示の態様は、ワイヤレス通信のための装置を提供する。本装置は、概して、ネットワーク中で送信されたフレームを取得するように構成されたインターフェースと、フレーム中の１つまたは複数のビットに基づいて、ネットワーク中で通信するための最小帯域幅と最大帯域幅の両方を決定するように構成された処理システムとを含む。
【０００８】
[0008]本開示の態様は、ワイヤレス通信のための方法を提供する。本方法は、概して、ネットワーク中で通信するための最小帯域幅と最大帯域幅の両方を示す１つまたは複数のビットを有するフレームを生成することと、ネットワーク中の送信のためにフレームを出力することとを含む。
【０００９】
[0009]本開示の態様は、ワイヤレス通信のための方法を提供する。本方法は、概して、ネットワーク中で送信されたフレームを取得することと、フレーム中の１つまたは複数のビットに基づいて、ネットワーク中で通信するための最小帯域幅と最大帯域幅の両方を決定することとを含む。
【００１０】
[0010]本開示の態様は、ワイヤレス通信のための装置を提供する。本装置は、概して、ネットワーク中で通信するための最小帯域幅と最大帯域幅の両方を示す１つまたは複数のビットを有するフレームを生成するための手段と、ネットワーク中の送信のためにフレームを出力するための手段とを含む。
【００１１】
[0011]本開示の態様は、ワイヤレス通信のための装置を提供する。本装置は、概して、ネットワーク中で送信されたフレームを取得するための手段と、フレーム中の１つまたは複数のビットに基づいて、ネットワーク中で通信するための最小帯域幅と最大帯域幅の両方を決定するための手段とを含む。
【００１２】
[0012]本開示の態様は、少なくとも１つのアンテナと、ネットワーク中で通信することと、ネットワーク中の送信のためにフレームを出力することとを行うための最小帯域幅と最大帯域幅の両方を示す１つまたは複数のビットを有するフレームを生成するように構成された処理システムと、少なくとも１つのアンテナを介して、ネットワーク中の送信のためにフレームを送信するように構成された送信機とを備えるアクセスポイントを提供する。
【００１３】
[0013]本開示の態様は、少なくとも１つのアンテナと、少なくとも１つのアンテナを介して、ネットワーク中で送信されたフレームを受信するように構成された受信機と、フレーム中の１つまたは複数のビットに基づいて、ネットワーク中で通信するための最小帯域幅と最大帯域幅の両方を決定するように構成された処理システムとを備えるワイヤレス局を提供する。
【００１４】
[0014]本開示の態様は、ワイヤレス通信のためのコンピュータプログラム製品を提供する。本コンピュータプログラム製品は、概して、ネットワーク中で通信するための最小帯域幅と最大帯域幅の両方を示す１つまたは複数のビットを有するフレームを生成することと、ネットワーク中の送信のためにフレームを出力することとを行うための命令を記憶したコンピュータ可読媒体を含む。
【００１５】
[0015]本開示の態様は、ワイヤレス通信のためのコンピュータプログラム製品を提供する。本コンピュータプログラム製品は、概して、ネットワーク中で送信されたフレームを取得することと、フレーム中の１つまたは複数のビットに基づいて、ネットワーク中で通信するための最小帯域幅と最大帯域幅の両方を決定することとを行うための命令を記憶したコンピュータ可読媒体を含む。
【図面の簡単な説明】
【００１６】
【図１】[0016]本開示のいくつかの態様による、例示的なワイヤレス通信ネットワークの図。
【図２】[0017]本開示のいくつかの態様による、例示的なアクセスポイントおよびユーザ端末のブロック図。
【図３】[0018]本開示のいくつかの態様による、例示的なワイヤレスデバイスのブロック図。
【図４】[0019]本開示のいくつかの態様による、例示的なショートビーコン（Short Beacon）フレームフォーマットを示す図。
【図４Ａ】[0020]本開示のいくつかの態様による、ショートビーコンフレームの例示的なフレーム制御フィールドフォーマットを示す図。
【図５】[0021]本開示のいくつかの態様による、例示的なショートプローブ応答（Short Probe Response）フレームフォーマットを示す図。
【図５Ａ】[0022]本開示のいくつかの態様による、ショートプローブ応答フレームの例示的なフレーム制御フィールドフォーマットを示す図。
【図６】[0023]本開示のいくつかの態様による、装置によるワイヤレス通信のための例示的な動作のブロック図。
【図６Ａ】[0024]図６に示されている動作を実行することが可能な例示的な手段を示す図。
【図７】[0025]本開示のいくつかの態様による、ワイヤレスデバイスによるワイヤレス通信のための例示的な動作のブロック図。
【図７Ａ】[0026]図７に示されている動作を実行することが可能な例示的な手段を示す図。
【図８】[0027]本開示のいくつかの態様による、最小帯域幅と最大帯域幅との異なる組合せの一例を示す図。
【発明を実施するための形態】
【００１７】
[0028]添付の図面を参照しながら本開示の様々な態様について以下でより十分に説明する。ただし、本開示は、多くの異なる形態で実施され得、本開示全体にわたって提示する任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本開示の他の態様とは無関係に実装されるにせよ、本開示の他の態様と組み合わされるにせよ、本明細書で開示する本開示のいかなる態様をもカバーするものであることを、当業者は諒解されたい。たとえば、本明細書に記載する態様をいくつ使用しても、装置は実装され得、または方法は実施され得る。さらに、本開示の範囲は、本明細書に記載された本開示の様々な態様に加えてまたはそれら以外に、他の構造、機能、または構造および機能を使用して実施されるそのような装置または方法をカバーするものとする。本明細書で開示する本開示のいずれの態様も、請求項の１つまたは複数の要素によって実施され得ることを理解されたい。
【００１８】
[0029]本開示の態様は、一般に、ショートフレームなどのフレーム中で最小チャネル帯域幅と最大チャネル帯域幅とを示すための技法に関する。本明細書でより詳細に説明するように、フレーム中の１つまたは複数のビットは、ネットワーク中で通信するための最小帯域幅と最大帯域幅の両方を示し得る。本明細書で説明する技法は、任意のタイプのフレームに適用され得ることが想定されるが、管理フレームの特定の例が与えられる。管理フレームの２つの例は、ビーコンフレームおよびプローブ応答フレームである。
【００１９】
[0030]他の態様によれば、ワイヤレス端末は、最小帯域幅と最大帯域幅との組合せへのフレーム中のビットの異なる値のマッピングに基づいて、ネットワーク中で通信するための最小帯域幅と最大帯域幅とを決定し得る。いくつかの態様によれば、フレーム中のフィールドは最小帯域幅と最大帯域幅とを示し得るが、基本サービスセット（ＢＳＳ）帯域幅（ＢＷ）フィールドは、最小帯域幅と最大帯域幅との指示のために使用され得る。
【００２０】
[0031]本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのいくつかを例として、図および好適な態様についての以下の説明において示す。発明を実施するための形態および図面は、本開示を限定するものではなく説明するものにすぎず、本開示の範囲は添付の特許請求の範囲およびそれの均等物によって定義されている。
【００２１】
例示的なワイヤレス通信システム
[0032]本明細書で説明する技法は、直交多重化方式に基づく通信システムを含む、様々なブロードバンドワイヤレス通信システムのために使用され得る。そのような通信システムの例としては、空間分割多元接続（ＳＤＭＡ）システム、時分割多元接続（ＴＤＭＡ）システム、直交周波数分割多元接続（ＯＦＤＭＡ）システム、シングルキャリア周波数分割多元接続（ＳＣ−ＦＤＭＡ）システムがある。ＳＤＭＡシステムは、複数のユーザ端末に属するデータを同時に送信するために十分に異なる方向を利用し得る。ＴＤＭＡシステムは、送信信号を異なるタイムスロットに分割することによって、複数のユーザ端末が同じ周波数チャネルを共有することを可能にし得、各タイムスロットは異なるユーザ端末に割り当てられる。ＯＦＤＭＡシステムは、全システム帯域幅を複数の直交サブキャリアに区分する変調技法である、直交周波数分割多重（ＯＦＤＭ）を利用する。これらのサブキャリアは、トーン、ビンなどと呼ばれることもある。ＯＦＤＭでは、各サブキャリアは独立してデータで変調され得る。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。概して、変調シンボルは、ＯＦＤＭでは周波数領域で、ＳＣ−ＦＤＭＡでは時間領域で送られる。
【００２２】
[0033]本明細書の教示は、様々なワイヤードまたはワイヤレス装置（たとえば、ノード）に組み込まれ得る（たとえば、その装置内に実装されるか、またはその装置によって実行され得る）。いくつかの態様では、本明細書の教示に従って実装されるワイヤレスノードはアクセスポイントまたはアクセス端末を備え得る。ワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を与え得る。
【００２３】
[0034]アクセスポイント（「ＡＰ」）は、ノードＢ、無線ネットワークコントローラ（「ＲＮＣ」）、発展型ノードＢ（ｅＮＢ）、基地局コントローラ（「ＢＳＣ」）、ベーストランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらとして実装されるか、あるいはそれらとして知られ得る。
【００２４】
[0035]アクセス端末（「ＡＴ」）は、加入者局、加入者ユニット、移動局（ＭＳ）、リモート局、リモート端末、ユーザ端末（ＵＴ）、ユーザエージェント、ユーザデバイス、ユーザ機器（ＵＥ）、ユーザ局、または何らかの他の用語を備えるか、それらとして実装されるか、あるいはそれらとして知られ得る。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（「ＳＴＡ」）、またはワイヤレスモデムに接続された何らかの他の好適な処理デバイスを備え得る。したがって、本明細書で教示する１つまたは複数の態様は、電話（たとえば、セルラーフォンまたはスマートフォン）、コンピュータ（たとえば、ラップトップ）、タブレット、ポータブル通信デバイス、ポータブルコンピューティングデバイス（たとえば、個人情報端末）、エンターテインメントデバイス（たとえば、音楽もしくはビデオデバイス、または衛星ラジオ）、全地球測位システム（ＧＰＳ）デバイス、あるいはワイヤレスまたはワイヤード媒体を介して通信するように構成された他の好適なデバイスに組み込まれ得る。
【００２５】
[0036]図１に、本開示の態様が実施され得る例示的なワイヤレス通信システムを示す。たとえば、ＡＰ１１０は、ネットワーク中で通信するための最小帯域幅と最大帯域幅の両方を示す１つまたは複数のビットを有するフレームを生成し、送信するように構成され得る。ＵＴ１２０は、フレームを取得（たとえば、受信）し、フレーム中の１つまたは複数のビットに基づいて、ネットワーク中で通信するための最小帯域幅と最大帯域幅の両方を決定するように構成され得る。
【００２６】
[0037]図１は、アクセスポイントとユーザ端末とをもつ多元接続多入力多出力（ＭＩＭＯ）システム１００を示している。簡単のために、ただ１つのアクセスポイント１１０が図１に示されている。アクセスポイントは、概して、ユーザ端末と通信する固定局であり、基地局または何らかの他の用語で呼ばれることもある。ユーザ端末は、固定また移動であり得、移動局、ワイヤレスデバイス、ユーザ機器、または何らかの他の用語で呼ばれることもある。アクセスポイント１１０は、ダウンリンクおよびアップリンク上で所与の瞬間において１つまたは複数のユーザ端末１２０と通信し得る。ダウンリンク（すなわち、順方向リンク）はアクセスポイントからユーザ端末への通信リンクであり、アップリンク（すなわち、逆方向リンク）はユーザ端末からアクセスポイントへの通信リンクである。ユーザ端末はまた、別のユーザ端末とピアツーピアで通信し得る。
【００２７】
[0038]システムコントローラ１３０は、これらのＡＰおよび／または他のシステムのために協調および制御を行い得る。ＡＰは、たとえば、無線周波数電力、チャネル、認証、およびセキュリティに対する調整を扱い得るシステムコントローラ１３０によって管理され得る。システムコントローラ１３０は、バックホールを介してＡＰと通信し得る。ＡＰはまた、たとえば、ワイヤレスバックホールまたはワイヤラインバックホールを介して直接または間接的に互いに通信し得る。
【００２８】
[0039]以下の開示の部分では、空間分割多元接続（ＳＤＭＡ）によって通信することが可能なユーザ端末１２０について説明するが、いくつかの態様では、ユーザ端末１２０は、ＳＤＭＡをサポートしないいくつかのユーザ端末をも含み得る。したがって、そのような態様では、ＡＰ１１０は、ＳＤＭＡユーザ端末と非ＳＤＭＡユーザ端末の両方と通信するように構成され得る。この手法は、より新しいＳＤＭＡユーザ端末が適宜に導入されることを可能にしながら、より古いバージョンのユーザ端末（「レガシー」局）が企業に配備されたままであることを都合よく可能にして、それらの有効寿命を延長し得る。
【００２９】
[0040]システム１００は、ダウンリンクおよびアップリンク上でのデータ伝送のために複数の送信アンテナおよび複数の受信アンテナを採用する。アクセスポイント１１０は、Ｎap個のアンテナを装備し、ダウンリンク送信では多入力（ＭＩ）を表し、アップリンク送信では多出力（ＭＯ）を表す。Ｋ個の選択されたユーザ端末１２０のセットは、ダウンリンク送信では多出力をまとめて表し、アップリンク送信では多入力をまとめて表す。純粋なＳＤＭＡの場合、Ｋ個のユーザ端末のためのデータシンボルストリームが何らかの手段によってコード、周波数または時間において多重化されない場合、Ｎap≧Ｋ≧１が成り立つことが望まれる。データシンボルストリームがＴＤＭＡ技法、ＣＤＭＡを用いた異なるコードチャネル、ＯＦＤＭを用いたサブバンドの独立セットなどを使用して多重化され得る場合、ＫはＮapよりも大きくなり得る。各選択されたユーザ端末は、ユーザ固有データをアクセスポイントに送信し、および／またはアクセスポイントからユーザ固有データを受信する。概して、各選択されたユーザ端末は１つまたは複数のアンテナを装備し得る（すなわち、Ｎut≧１）。Ｋ個の選択されたユーザ端末は同じまたは異なる数のアンテナを有することができる。
【００３０】
[0041]ＳＤＭＡシステムは時分割複信（ＴＤＤ）システムまたは周波数分割複信（ＦＤＤ）システムであり得る。ＴＤＤシステムの場合、ダウンリンクとアップリンクは同じ周波数帯域を共有する。ＦＤＤシステムの場合、ダウンリンクとアップリンクは異なる周波数帯域を使用する。ＭＩＭＯシステム１００はまた、伝送のために単一のキャリアまたは複数のキャリアを利用し得る。各ユーザ端末は、（たとえば、コストを抑えるために）単一のアンテナを装備するか、または（たとえば、追加コストがサポートされ得る場合）複数のアンテナを装備し得る。送信／受信を異なるタイムスロットに分割し、各タイムスロットを異なるユーザ端末１２０に割り当てることによってユーザ端末１２０が同じ周波数チャネルを共有する場合、システム１００はＴＤＭＡシステムでもあり得る。
【００３１】
[0042]図２に、本開示の態様を実装するために使用され得る、図１に示されているＡＰ１１０とＵＴ１２０との例示的な構成要素を示す。ＡＰ１１０とＵＴ１２０との１つまたは複数の構成要素は、本開示の態様を実施するために使用され得る。たとえば、アンテナ２２４、Ｔｘ／Ｒｘ２２２、プロセッサ２１０、２２０、２４０、２４２、および／またはコントローラ２３０は、本明細書で説明し、図６および図６Ａを参照しながら示す動作を実行するために使用され得る。同様に、アンテナ２５２、Ｔｘ／Ｒｘ２５４、プロセッサ２６０、２７０、２８８、および２９０、ならびに／またはコントローラ２８０は、本明細書で説明し、図７および図７Ａを参照しながら示す動作を実行するために使用され得る。
【００３２】
[0043]図２は、ＭＩＭＯシステム１００におけるアクセスポイント１１０と２つのユーザ端末１２０ｍおよび１２０ｘとのブロック図を示している。アクセスポイント１１０はＮt個のアンテナ２２４ａ〜２２４ａｐを装備する。ユーザ端末１２０ｍは、Ｎut,m個のアンテナ２５２ｍａ〜２５２ｍｕを装備し、ユーザ端末１２０ｘは、Ｎut,x個のアンテナ２５２ｘａ〜２５２ｘｕを装備する。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用する「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「ｄｎ」はダウンリンクを示し、下付き文字「ｕｐ」はアップリンクを示し、Ｎup個のユーザ端末がアップリンク上の同時送信のために選択され、Ｎdn個のユーザ端末がダウンリンク上の同時送信のために選択され、ＮupはＮdnに等しいことも等しくないこともあり、ＮupおよびＮdnは、静的値であり得るか、またはスケジューリング間隔ごとに変化することがある。ビームステアリングまたは何らかの他の空間処理技法がアクセスポイントおよびユーザ端末において使用され得る。
【００３３】
[0044]アップリンク上で、アップリンク送信のために選択された各ユーザ端末１２０において、送信（ＴＸ）データプロセッサ２８８は、データソース２８６からトラフィックデータを受信し、コントローラ２８０から制御データを受信する。コントローラ２８０はメモリ２８２と結合され得る。ＴＸデータプロセッサ２８８は、ユーザ端末のために選択されたレートに関連するコーディングおよび変調方式に基づいてユーザ端末のためにトラフィックデータを処理（たとえば、符号化、インターリーブ、および変調）し、データシンボルストリームを与える。ＴＸ空間プロセッサ２９０は、データシンボルストリームに対して空間処理を実行し、Ｎut,m個の送信シンボルストリームをＮut,m個のアンテナに与える。各送信機ユニット（ＴＭＴＲ）２５４は、アップリンク信号を生成するために、それぞれの送信シンボルストリームを受信し、処理（たとえば、アナログ変換、増幅、フィルタ処理、および周波数アップコンバート）する。Ｎut,m個の送信機ユニット２５４は、Ｎut,m個のアンテナ２５２からアクセスポイントへの送信のためのＮut,m個のアップリンク信号を与える。
【００３４】
[0045]Ｎup個のユーザ端末がアップリンク上の同時送信のためにスケジュールされ得る。これらのユーザ端末の各々は、それのデータシンボルストリームに対して空間処理を実行し、アップリンク上で送信シンボルストリームのそれのセットをアクセスポイントに送信する。
【００３５】
[0046]アクセスポイント１１０において、Ｎap個のアンテナ２２４ａ〜２２４ａｐは、アップリンク上で送信するすべてのＮup個のユーザ端末からアップリンク信号を受信する。各アンテナ２２４は、受信信号をそれぞれの受信機ユニット（ＲＣＶＲ）２２２に与える。各受信機ユニット２２２は、送信機ユニット２５４によって実行された処理を補足する処理を実行し、受信シンボルストリームを与える。ＲＸ空間プロセッサ２４０は、Ｎap個の受信機ユニット２２２からのＮap個の受信シンボルストリームに対して受信機空間処理を実行し、Ｎup個の復元アップリンクデータシンボルストリームを与える。受信機空間処理は、チャネル相関行列反転（ＣＣＭＩ：channel correlation matrix inversion）、最小平均２乗誤差（ＭＭＳＥ：minimum mean square error）、ソフト干渉消去（ＳＩＣ：soft interference cancellation）、または何らかの他の技法に従って実行される。各復元アップリンクデータシンボルストリームは、それぞれのユーザ端末によって送信されたデータシンボルストリームの推定値である。ＲＸデータプロセッサ２４２は、復号データを得るために、そのストリームのために使用されたレートに応じて各復元アップリンクデータシンボルストリームを処理（たとえば、復調、デインターリーブ、および復号）する。各ユーザ端末のための復号データは、記憶のためにデータシンク２４４に与えられ、および／またはさらなる処理のためにコントローラ２３０に与えられ得る。コントローラ２３０はメモリ２３２と結合され得る。
【００３６】
[0047]ダウンリンク上で、アクセスポイント１１０において、ＴＸデータプロセッサ２１０が、ダウンリンク送信のためにスケジュールされたＮdn個のユーザ端末のためのトラフィックデータをデータソース２０８から受信し、コントローラ２３０から制御データを受信し、場合によってはスケジューラ２３４から他のデータを受信する。様々なタイプのデータが異なるトランスポートチャネル上で送信され得る。ＴＸデータプロセッサ２１０は、各ユーザ端末のために選択されたレートに基づいてそのユーザ端末のトラフィックデータを処理（たとえば、符号化、インターリーブ、および変調）する。ＴＸデータプロセッサ２１０はＮdn個のダウンリンクデータシンボルストリームをＮdn個のユーザ端末に与える。ＴＸ空間プロセッサ２２０は、Ｎdn個のダウンリンクデータシンボルストリームに対して（本開示で説明するプリコーディングまたはビームフォーミングなどの）空間処理を実行し、Ｎap個の送信シンボルストリームをＮap個のアンテナに与える。各送信機ユニット２２２は、ダウンリンク信号を生成するために、それぞれの送信シンボルストリームを受信し、処理する。Ｎap個のアンテナ２２４からユーザ端末への送信のためのＮap個のダウンリンク信号を与えるＮap個の送信機ユニット２２２。
【００３７】
[0048]各ユーザ端末１２０において、Ｎap個のアンテナ２５２はアクセスポイント１１０からＮap個のダウンリンク信号を受信する。各受信機ユニット２５４は、関連するアンテナ２５２からの受信信号を処理し、受信シンボルストリームを与える。ＲＸ空間プロセッサ２６０は、Ｎut,m個の受信機ユニット２５４からのＮut,m個の受信シンボルストリームに対して受信機空間処理を実行し、復元ダウンリンクデータシンボルストリームをユーザ端末に与える。受信機空間処理は、ＣＣＭＩ、ＭＭＳＥまたは何らかの他の技法に従って実行される。ＲＸデータプロセッサ２７０は、ユーザ端末のための復号データを取得するために、復元ダウンリンクデータシンボルストリームを処理（たとえば、復調、デインターリーブおよび復号）する。各ユーザ端末のための復号データは、記憶のためにデータシンク２７２に与えられ、および／またはさらなる処理のためにコントローラ２８０に与えられ得る。
【００３８】
[0049]各ユーザ端末１２０において、チャネル推定器２７８は、ダウンリンクチャネル応答を推定し、チャネル利得推定値、ＳＮＲ推定値、雑音分散などを含み得る、ダウンリンクチャネル推定値を与える。同様に、アクセスポイント１１０において、チャネル推定器２２８は、アップリンクチャネル応答を推定し、アップリンクチャネル推定値を与える。各ユーザ端末のコントローラ２８０は、一般に、そのユーザ端末のダウンリンクチャネル応答行列Ｈdn,mに基づいてユーザ端末の空間フィルタ行列を導出する。コントローラ２３０は、有効アップリンクチャネル応答行列Ｈup,effに基づいてアクセスポイントの空間フィルタ行列を導出する。各ユーザ端末のコントローラ２８０は、フィードバック情報（たとえば、ダウンリンクおよび／またはアップリンク固有ベクトル、固有値、ＳＮＲ推定値など）をアクセスポイントに送り得る。コントローラ２３０およびコントローラ２８０はまた、それぞれ、アクセスポイント１１０およびユーザ端末１２０における様々な処理ユニットの動作を制御する。
【００３９】
[0050]図３に、本開示の態様を実装するためにＡＰ１１０および／またはＵＴ１２０中で利用され得る例示的な構成要素を示す。たとえば、送信機３１０、（１つまたは複数の）アンテナ３１６、プロセッサ３０４および／またはＤＳＰ３２０は、ＡＰによって実装される本開示の態様を実施するために使用され得る。さらに、受信機３１２、（１つまたは複数の）アンテナ３１６、プロセッサ３０４および／またはＤＳＰ３２０は、ＵＴによって実装される本開示の態様を実施するために使用され得る。
【００４０】
[0051]図３に、ＭＩＭＯシステム１００内で採用され得るワイヤレスデバイス３０２において利用され得る様々な構成要素を示す。ワイヤレスデバイス３０２は、本明細書で説明する様々な方法を実装するように構成され得るデバイスの一例である。ワイヤレスデバイス３０２はアクセスポイント１１０またはユーザ端末１２０であり得る。
【００４１】
[0052]ワイヤレスデバイス３０２は、ワイヤレスデバイス３０２の動作を制御するプロセッサ３０４を含み得る。プロセッサ３０４は中央処理ユニット（ＣＰＵ）と呼ばれることもある。読取り専用メモリ（ＲＯＭ）とランダムアクセスメモリ（ＲＡＭ）の両方を含み得るメモリ３０６は、命令とデータとをプロセッサ３０４に与える。メモリ３０６の一部は不揮発性ランダムアクセスメモリ（ＮＶＲＡＭ）をも含み得る。プロセッサ３０４は、一般に、メモリ３０６内に記憶されたプログラム命令に基づいて論理演算および算術演算を実行する。メモリ３０６中の命令は、本明細書で説明する方法を実装するために実行可能であり得る。
【００４２】
[0053]ワイヤレスデバイス３０２はまた、ワイヤレスデバイス３０２とリモートノードとの間のデータの送信および受信を可能にするために送信機３１０と受信機３１２とを含み得るハウジング３０８を含み得る。送信機３１０と受信機３１２とは組み合わせられてトランシーバ３１４になり得る。単一または複数の送信アンテナ３１６が、ハウジング３０８に取り付けられ、トランシーバ３１４に電気的に結合され得る。ワイヤレスデバイス３０２はまた、複数の送信機、複数の受信機、複数のトランシーバを含み得る（図示せず）。
【００４３】
[0054]ワイヤレスデバイス３０２はまた、トランシーバ３１４によって受信された信号のレベルを検出し、定量化するために使用され得る信号検出器３１８を含み得る。信号検出器３１８は、総エネルギー、シンボルごとのサブキャリア当たりのエネルギー、電力スペクトル密度および他の信号などの信号を検出し得る。ワイヤレスデバイス３０２はまた、信号を処理する際に使用するためのデジタル信号プロセッサ（ＤＳＰ）３２０を含み得る。
【００４４】
[0055]ワイヤレスデバイス３０２の様々な構成要素は、データバスに加えて、電力バスと、制御信号バスと、ステータス信号バスとを含み得る、バスシステム３２２によって互いに結合され得る。
【００４５】
フレーム中のＢＳＳ帯域幅指示
[0056]管理フレームは、ＵＥがネットワーク中の通信を確立し、維持することを可能にする。管理フレームの２つの例としては、ビーコンフレームおよびプローブ応答フレームがある。ビーコンフレームは、たとえば、ＡＰによって周期的に送信され得、サービスセット識別子（ＳＳＩＤ：service set identifier）、タイムスタンプ、および／またはＡＰに関する他の関連情報を含んでいることがある。プローブ応答フレームは、ＵＥから受信された受信プローブ要求に応答してＡＰによって送信され得る。プローブ応答フレームは、たとえば、ＳＳＩＤ、サポートされるデータレート、必要であれば暗号化タイプ、およびＡＰの他の能力を含み得る。
【００４６】
[0057]図４に、ショートビーコンフレーム４００の一例を示す。図４に示されているように、ショートビーコンフレームはフレーム制御（ＦＣ：frame control）フィールド４０２を含み得る。
【００４７】
[0058]図４Ａに、ショートビーコンフレーム４００のＦＣフィールド４０２の例示的なフォーマットを示す。図示のように、ＦＣフィールドは、基本サービスセット（ＢＳＳ）帯域幅（ＢＷ）フィールド４０４を含み得る。ＢＳＳ  ＢＷフィールド４０４は、ＢＳＳ中の特定の送信の帯域幅（たとえば、ＢＳＳが動作する帯域幅）を示すための３ビットから構成され得る。
【００４８】
[0059]図５に、ショートプローブ応答フレーム５００の一例を示す。図５に示されているように、ショートプローブ応答フレームはフレーム制御（ＦＣ）フィールド５０２を含み得る。
【００４９】
[0060]図５Ａに、ショートプローブ応答フレーム５００のＦＣフィールド５０２の例示的なフォーマットを示す。図示のように、ＦＣフィールド５０２は基本サービスセット（ＢＳＳ）帯域幅（ＢＷ）フィールド５０４を含み得る。ＢＳＳ  ＢＷフィールド５０４は、ＢＳＳ中の特定の送信の帯域幅（たとえば、ＢＳＳが動作する帯域幅）を示すための３ビットから構成され得る。
【００５０】
[0061]いくつかのシステムでは、ＢＳＳ  ＢＷフィールド（たとえば、４０４、５０４）は、ＢＳＳ中の送信の最大負荷帯域幅を示すために使用され得る。しかしながら、本開示の態様は、ＢＳＳ  ＢＷフィールドがＢＳＳのための最大帯域幅と最小帯域幅の両方を示すことを可能にし得る。図４〜図４Ａおよび図５〜図５Ａは、ＢＳＳ  ＢＷフィールドがＢＳＳのための最大帯域幅と最小帯域幅の両方を示すために使用され得る例示的なフレームを示しているが、本明細書で説明する技法は、ＢＷ情報フィールドを含むフレームに適用され得る。
【００５１】
[0062]図６に、本開示のいくつかの態様による、ワイヤレスネットワーク中で通信するための例示的な動作６００を示す。動作６００は、ＢＷ指示を搬送する任意のタイプのフレームに適用され得る。動作６００は、図１、図２、および図３に示されているような、ＡＰ１１０などのアクセスポイントによって実行され得る。
【００５２】
[0063]動作６００は、６０２において、ネットワーク中で通信するための最小帯域幅と最大帯域幅の両方を示す１つまたは複数のビットを有するフレームを生成することによって開始する。６０４において、ネットワーク中の送信のためにフレームを出力する。
【００５３】
[0064]上記で説明したように、一例によれば、フレームは、ビーコンフレームまたはプローブ応答フレームを含む、任意のタイプの管理フレームを含み得る。態様によれば、１つまたは複数のビットの異なる値は、最小帯域幅と最大帯域幅との異なる組合せにマッピングし得る。
【００５４】
[0065]ビットを使用してシグナリングされ得る限られた数の組合せにより、１対多マッピングが、ビットの異なる値のうちの少なくとも１つのために使用され得る。たとえば、図８を参照しながら以下で説明するように、値のうちの少なくとも１つは、最小帯域幅と最大帯域幅との複数の組合せ（たとえば、少なくとも２つの組合せ）にマッピングし得る。これらの態様によれば、以下でより詳細に説明するように、ビットの同じ値を使用してシグナリングされる最小帯域幅と最大帯域幅との複数の組合せは、最小帯域幅が最大帯域幅と同じである組合せを含み得る。
【００５５】
[0066]図７に、本開示のいくつかの態様による、ワイヤレスネットワーク中で通信するための例示的な動作７００を示す。動作７００は、たとえば、図１、図２、および図３に示されているような、ＵＴ１２０を含むワイヤレス局によって実行され得る。
【００５６】
[0067]動作７００は、７０２において、ネットワーク中で送信されたフレームを取得することによって開始する。フレームは、最大帯域幅と最小帯域幅の両方を指定するＢＷ指示を搬送する任意のタイプのフレームを含み得る。
【００５７】
[0068]７０４において、フレーム中に含まれる１つまたは複数のビットに基づいて、ネットワーク中で通信するための最小帯域幅と最大帯域幅の両方を決定する。
【００５８】
[0069]上記で説明したように、取得されたフレームは、管理フレームなど、任意のタイプのフレームであり得る。ワイヤレス局は、最小帯域幅と最大帯域幅との異なる組合せへの１つまたは複数のビットの異なる値のマッピングに基づいて、最小帯域幅と最大帯域幅とを決定し得る。
【００５９】
[0070]上記で説明したように、ビットの異なる値のうちの少なくとも１つは、最小帯域幅と最大帯域幅との複数の組合せ（たとえば、少なくとも２つの組合せ）にマッピングし得る。フレーム中の１つまたは複数のビットの同じ値にマッピングする最小帯域幅と最大帯域幅との少なくとも２つの異なる組合せは、それぞれ、最小帯域幅が最大帯域幅と同じである組合せを含み得る。
【００６０】
[0071]図８に、本開示の態様による、最小帯域幅と最大帯域幅とのために存在し得る異なる組合せ８００を示す。いくつかの態様によれば、最小帯域幅が最大帯域幅よりも多くないことがあるので、いくつかの組合せは有効でないことがある。しかしながら、依然として、ネットワーク中で通信するための最小帯域幅と最大帯域幅とをシグナリングするために使用されるビットフィールドのための異なる値よりも有効な、最小帯域幅と最大帯域幅との組合せがあり得る。図８に示されているように、最小帯域幅は１または２ＭＨｚであり得、最大帯域幅は１、２、４、８、または１６ＭＨｚであり得る。本開示のいくつかの態様によれば、１つまたは複数のビットの異なる値は、最小帯域幅と最大帯域幅との異なる組合せにマッピングし得る。
【００６１】
[0072]さらに、図８の行４に示されているように、送信されたフレーム中の１つまたは複数のビットの１つの組合せが、複数の最小および最大帯域幅組合せにマッピングし得る。この１対多マッピングによれば、ビット値の１つの組合せ（たとえば、この例では４の値に対応する）は、最小帯域幅と最大帯域幅との複数の組合せ（たとえば、最小帯域幅と最大帯域幅の両方が１ＭＨｚであるか、または両方が２ＭＨｚである）にマッピングし得る。場合によっては、ワイヤレス局は、ＢＷ指示を含んでいるフレーム（たとえば、物理プロトコルデータユニット、ＰＰＤＵ）を送信するためのＡＰによって使用される帯域幅に基づいて、複数の帯域幅組合せのうちのどれを使用すべきかを決定し得る。たとえば、フレームが１ＭＨｚにおいて送信された場合、局は、最大帯域幅と最小帯域幅とを両方とも１ＭＨｚであると見なし得る。
【００６２】
[0073]ネットワーク中で通信するための最小帯域幅と最大帯域幅の両方を示し得るショートフレーム（たとえば、管理フレーム）の２つの例としてビーコンフレームとプローブ応答フレームとを参照しながら上記で説明した技法は、より一般的には、任意のタイプのフレームに適用され得る。さらに、（たとえば、上記で説明したように符号化する帯域幅指示を用いた）最小帯域幅と最大帯域幅とに関する情報は、フレーム中に含まれる任意のフィールドまたは要素中の１つまたは複数のビットを用いて搬送され得る。
【００６３】
[0074]上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示されている動作がある場合、それらの動作は、同様の番号をもつ対応するカウンターパートのミーンズプラスファンクション構成要素を有し得る。たとえば、図６および図７に示されている動作６００および動作７００は、図６Ａおよび図７Ａに示されている手段６００Ａおよび手段７００Ａに対応する。
【００６４】
[0075]生成するための手段は、図２に示されているアクセスポイント１１０のプロセッサ２１０、２４２、および／またはコントローラ２３０、あるいは図３に描かれているプロセッサ３０４および／またはＤＳＰ３２０など、１つまたは複数のプロセッサを含み得る、処理システムを含み得る。出力（たとえば、送信）するための手段は、図２に示されているアクセスポイント１１０の送信機（たとえば、送信機ユニット２２２）および／または（１つまたは複数の）アンテナ２２４、あるいは図３に示されている送信機３１０および／または（１つまたは複数の）アンテナ３１６を備え得る。
【００６５】
[0076]取得（たとえば、受信）するための手段は、図２に示されているＵＴ１２０の受信機（たとえば、受信機ユニット２５４）および／または（１つまたは複数の）アンテナ２５２、あるいは図３に示されている受信機３１２および／または（１つまたは複数の）アンテナ３１６を備え得る。決定するための手段は、ＵＴ１２０のプロセッサ２６０、２７０、２８８、および２９０、ならびに／またはコントローラ２８０、あるいは図３に描かれているプロセッサ３０４および／またはＤＳＰ３２０など、１つまたは複数のプロセッサを含み得る、処理システムを含み得る。
【００６６】
[0077]いくつかの態様によれば、そのような手段は、（たとえば、ハードウェアでまたはソフトウェア命令を実行することによって）上記で説明した様々なアルゴリズムを実装することによって、対応する機能を実行するように構成された処理システムによって実装され得る。
【００６７】
[0078]本明細書で使用する「決定すること」という用語は、多種多様なアクションを包含する。たとえば、「決定すること」は、計算すること、算出すること、処理すること、導出すること、調査すること、ルックアップすること（たとえば、テーブル、データベースまたは別のデータ構造においてルックアップすること）、確認することなどを含み得る。また、「決定すること」は、受信すること（たとえば、情報を受信すること）、アクセスすること（たとえば、メモリ中のデータにアクセスすること）などを含み得る。さらに、「決定すること」は、解決すること、選択すること、選定すること、確立することなどを含み得る。
【００６８】
[0079]本明細書で使用する「出力すること」という用語は、送信のためにあるエンティティ（たとえば、処理システム）から別のエンティティ（たとえば、ＲＦフロントエンドまたはモデム）への構造の実際の送信または出力を伴い得る。本明細書で使用する「取得すること」という用語は、オーバージエアで送信された構造の実際の受信、またはあるエンティティ（たとえば、処理システム）によって別のエンティティ（たとえば、ＲＦフロントエンドまたはモデム）から構造を取得することを伴い得る。
【００６９】
[0080]本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素を用いた任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の配列）を包含するものとする。
【００７０】
[0081]本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００７１】
[0082]本開示に関連して説明した方法またはアルゴリズムのステップは、ハードウェアで直接実施されるか、プロセッサによって実行されるソフトウェアモジュールで実施されるか、またはその２つの組合せで実施され得る。ソフトウェアモジュールは、当技術分野で知られている任意の形態の記憶媒体中に常駐し得る。使用され得る記憶媒体のいくつかの例としては、ランダムアクセスメモリ（ＲＡＭ）、読取り専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭなどがある。ソフトウェアモジュールは、単一の命令、または多数の命令を備え得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサと一体であり得る。
【００７２】
[0083]本明細書で開示した方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は、特許請求の範囲から逸脱することなく変更され得る。
【００７３】
[0084]説明した機能は、ハードウェア、ソフトウェア、ファームウェア、またはそれらの任意の組合せで実装され得る。ハードウェアで実装される場合、例示的なハードウェア構成はワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、物理（ＰＨＹ）レイヤの信号処理機能を実装するために使用され得る。ユーザ端末１２０（図１参照）の場合、ユーザインターフェース（たとえば、キーパッド、ディスプレイ、マウス、ジョイスティックなど）もバスに接続され得る。バスはまた、タイミングソース、周辺機器、電圧調整器、電力管理回路などの様々な他の回路をリンクし得るが、それらは当技術分野でよく知られており、したがってこれ以上説明しない。
【００７４】
[0085]プロセッサは、機械可読媒体に記憶されたソフトウェアの実行を含む、バスおよび一般的な処理を管理することを担当し得る。プロセッサは、１つまたは複数の汎用および／または専用プロセッサを用いて実装され得る。例としては、マイクロプロセッサ、マイクロコントローラ、ＤＳＰプロセッサ、およびソフトウェアを実行することができる他の回路がある。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。機械可読媒体は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気消去可能プログラマブル読取り専用メモリ）、レジスタ、磁気ディスク、光ディスク、ハードドライブ、または他の好適な記憶媒体、あるいはそれらの任意の組合せを含み得る。機械可読媒体は、本明細書で説明した動作を実行するために１つまたは複数のプロセッサによって実行可能である命令をその上に記憶した（および／または符号化した）コンピュータ可読媒体を備え、コンピュータプログラム製品中に組み込まれ得る。コンピュータプログラム製品は、消費者による購入のためにその中でコンピュータ可読媒体を広告するためのパッケージング材料を備え得る。
【００７５】
[0086]ハードウェア実装形態では、機械可読媒体は、プロセッサとは別個の処理システムの一部であり得る。しかしながら、当業者なら容易に理解するように、機械可読媒体またはその任意の部分は処理システムの外部にあり得る。例として、機械可読媒体は、すべてがバスインターフェースを介してプロセッサによってアクセスされ得る、伝送線路、データによって変調された搬送波、および／またはワイヤレスノードとは別個のその上に記憶された命令をもつコンピュータ可読記憶媒体を含み得る。代替的に、または追加として、機械可読媒体またはその任意の部分は、キャッシュおよび／または汎用レジスタファイルがそうであり得るように、プロセッサに統合され得る。
【００７６】
[0087]処理システムは、すべて外部バスアーキテクチャを介して他のサポート回路と互いにリンクされる、プロセッサ機能を提供する１つまたは複数のマイクロプロセッサと、機械可読媒体の少なくとも一部を提供する外部メモリとをもつ汎用処理システムとして構成され得る。代替的に、処理システムは、プロセッサをもつＡＳＩＣ（特定用途向け集積回路）と、バスインターフェースと、アクセス端末）の場合はユーザインターフェースと、サポート回路と、単一のチップに統合された機械可読媒体の少なくとも一部分とを用いて、あるいは１つまたは複数のＦＰＧＡ（フィールドプログラマブルゲートアレイ）、ＰＬＤ（プログラマブル論理デバイス）、コントローラ、状態機械、ゲート論理、個別ハードウェア構成要素、もしくは他の好適な回路、または本開示全体にわたって説明した様々な機能を実行することができる回路の任意の組合せを用いて、実装され得る。当業者なら、特定の適用例と、全体的なシステムに課される全体的な設計制約とに応じて、どのようにしたら処理システムについて説明した機能を最も良く実装し得るかを理解されよう。
【００７７】
[0088]機械可読媒体はいくつかのソフトウェアモジュールを備え得る。ソフトウェアモジュールは、プロセッサなどの装置によって実行されたときに、処理システムに様々な機能を実行させる命令を含む。ソフトウェアモジュールは、送信モジュールと受信モジュールとを含み得る。各ソフトウェアモジュールは、単一の記憶デバイス中に常駐するか、または複数の記憶デバイスにわたって分散され得る。例として、トリガイベントが発生したとき、ソフトウェアモジュールがハードドライブからＲＡＭにロードされ得る。ソフトウェアモジュールの実行中、プロセッサは、アクセス速度を高めるために、命令のいくつかをキャッシュにロードし得る。次いで、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行したときにプロセッサによって実装されることが理解されよう。
【００７８】
[0089]ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、他の態様では、コンピュータ可読媒体は、一時的なコンピュータ可読媒体（たとえば、信号）を備え得る。上記の組合せもコンピュータ可読媒体の範囲内に含まれるべきである。
【００７９】
[0090]さらに、本明細書で説明した方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明した方法を実行するための手段の転送を可能にするためにサーバに結合され得る。代替的に、本明細書で説明した様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。その上、本明細書で説明した方法および技法をデバイスに提供するための任意の他の好適な技法が利用され得る。
【００８０】
[0091]特許請求の範囲は、上記で示した厳密な構成および構成要素に限定されないことを理解されたい。上記で説明した方法および装置の構成、動作および詳細において、特許請求の範囲から逸脱することなく、様々な改変、変更および変形が行われ得る。
以下に本願の出願当初の特許請求の範囲に記載された発明を付記する。
［Ｃ１］
ワイヤレス通信のための方法であって、
ネットワーク中で通信するための最小帯域幅と最大帯域幅の両方を示す１つまたは複数のビットを有するフレームを生成することと、
前記ネットワーク中の送信のために前記フレームを出力することと
を備える、方法。
［Ｃ２］
前記フレームが管理フレームを備える、Ｃ１に記載の方法。
［Ｃ３］
前記フレームが、ビーコンフレームまたはプローブ応答フレームのうちの１つを備える、Ｃ１に記載の方法。
［Ｃ４］
前記１つまたは複数のビットの異なる値が、最小帯域幅と最大帯域幅との異なる組合せにマッピングする、Ｃ１に記載の方法。
［Ｃ５］
前記異なる値のうちの少なくとも１つが、最小帯域幅と最大帯域幅との少なくとも２つの異なる組合せにマッピングする、Ｃ４に記載の方法。
［Ｃ６］
前記最小帯域幅が、前記少なくとも２つの異なる組合せの各々についての前記最大帯域幅と同じである、Ｃ５に記載の方法。
［Ｃ７］
前記フレームを送信するために使用されるべき帯域幅に基づいて、前記少なくとも２つの異なる組合せのうちのどちらを使用すべきかを示すことをさらに備える、Ｃ５に記載の方法。
［Ｃ８］
前記１つまたは複数のビットが３ビットを備える、Ｃ１に記載の方法。
［Ｃ９］
前記３ビットが基本サービスセット（ＢＳＳ）帯域幅（ＢＷ）フィールドの３ビットを備える、Ｃ８に記載の方法。
［Ｃ１０］
ワイヤレス通信のための方法であって、
ネットワーク中で送信されたフレームを取得することと、
前記フレーム中の１つまたは複数のビットに基づいて、前記ネットワーク中で通信するための最小帯域幅と最大帯域幅の両方を決定することと
を備える、方法。
［Ｃ１１］
前記フレームが管理フレームを備える、Ｃ１０に記載の方法。
［Ｃ１２］
前記フレームが、ビーコンフレームまたはプローブ応答フレームのうちの１つを備える、Ｃ１０に記載の方法。
［Ｃ１３］
前記決定が、最小帯域幅と最大帯域幅との異なる組合せへの前記１つまたは複数のビットの異なる値のマッピングに基づいて行われる、Ｃ１０に記載の方法。
［Ｃ１４］
前記異なる値のうちの少なくとも１つが、最小帯域幅と最大帯域幅との少なくとも２つの異なる組合せにマッピングする、Ｃ１３に記載の方法。
［Ｃ１５］
前記最小帯域幅が、前記少なくとも２つの異なる組合せの各々についての前記最大帯域幅と同じである、Ｃ１４に記載の方法。
［Ｃ１６］
前記フレームがその上で取得された帯域幅に基づいて、前記少なくとも２つの異なる組合せのうちのどちらを使用すべきかを決定することをさらに備える、Ｃ１４に記載の方法。
［Ｃ１７］
前記１つまたは複数のビットが３ビットを備える、Ｃ１０に記載の方法。
［Ｃ１８］
前記３ビットが基本サービスセット（ＢＳＳ）帯域幅（ＢＷ）フィールドの３ビットを備える、Ｃ１７に記載の方法。
［Ｃ１９］
ワイヤレス通信のための装置であって、
ネットワーク中で通信するための最小帯域幅と最大帯域幅の両方を示す１つまたは複数のビットを有するフレームを生成するように構成された処理システムと、
前記ネットワーク中の送信のために前記フレームを出力するためのインターフェースと
を備える、装置。
［Ｃ２０］
前記フレームが管理フレームを備える、Ｃ１９に記載の装置。
［Ｃ２１］
前記フレームが、ビーコンフレームまたはプローブ応答フレームのうちの１つを備える、Ｃ１９に記載の装置。
［Ｃ２２］
前記１つまたは複数のビットの異なる値が、最小帯域幅と最大帯域幅との異なる組合せにマッピングする、Ｃ１９に記載の装置。
［Ｃ２３］
前記異なる値のうちの少なくとも１つが、最小帯域幅と最大帯域幅との少なくとも２つの異なる組合せにマッピングする、Ｃ２２に記載の装置。
［Ｃ２４］
前記最小帯域幅が、前記少なくとも２つの異なる組合せの各々についての前記最大帯域幅と同じである、Ｃ２３に記載の装置。
［Ｃ２５］
前記装置の前記処理システムが、前記フレームを送信するために使用されるべき帯域幅に基づいて、前記少なくとも２つの異なる組合せのうちのどちらを使用すべきかを示すようにさらに構成された、Ｃ２３に記載の装置。
［Ｃ２６］
前記１つまたは複数のビットが３ビットを備える、Ｃ１９に記載の装置。
［Ｃ２７］
前記３ビットが基本サービスセット（ＢＳＳ）帯域幅（ＢＷ）フィールドの３ビットを備える、Ｃ２６に記載の装置。
［Ｃ２８］
ワイヤレス通信のための装置であって、
ネットワーク中で送信されたフレームを取得するように構成されたインターフェースと、
前記フレーム中の１つまたは複数のビットに基づいて、前記ネットワーク中で通信するための最小帯域幅と最大帯域幅の両方を決定するように構成された処理システムと
を備える、装置。
［Ｃ２９］
前記フレームが管理フレームを備える、Ｃ２８に記載の装置。
［Ｃ３０］
前記フレームが、１つまたはビーコンフレームまたはプローブ応答フレームを備える、Ｃ２８に記載の装置。
［Ｃ３１］
前記決定が、最小帯域幅と最大帯域幅との異なる組合せへの前記１つまたは複数のビットの異なる値のマッピングに基づいて行われる、Ｃ２８に記載の装置。
［Ｃ３２］
前記異なる値のうちの少なくとも１つが、最小帯域幅と最大帯域幅との少なくとも２つの異なる組合せにマッピングする、Ｃ３１に記載の装置。
［Ｃ３３］
前記最小帯域幅が、前記少なくとも２つの異なる組合せの各々についての前記最大帯域幅と同じである、Ｃ３２に記載の装置。
［Ｃ３４］
前記装置の前記処理システムは、前記フレームがその上で取得された帯域幅に基づいて、前記少なくとも２つの異なる組合せのうちのどちらを使用すべきかを決定するようにさらに構成された、Ｃ３２に記載の装置。
［Ｃ３５］
前記１つまたは複数のビットが３ビットを備える、Ｃ２８に記載の装置。
［Ｃ３６］
前記３ビットが基本サービスセット（ＢＳＳ）帯域幅（ＢＷ）フィールドの３ビットを備える、Ｃ３５に記載の装置。
［Ｃ３７］
ワイヤレス通信のための装置であって、
ネットワーク中で通信するための最小帯域幅と最大帯域幅の両方を示す１つまたは複数のビットを有するフレームを生成するための手段と、
前記ネットワーク中の送信のために前記フレームを出力するための手段と
を備える、装置。
［Ｃ３８］
ワイヤレス通信のための装置であって、
ネットワーク中で送信されたフレームを取得するための手段と、
前記フレーム中の１つまたは複数のビットに基づいて、前記ネットワーク中で通信するための最小帯域幅と最大帯域幅の両方を決定するための手段と
を備える、装置。
［Ｃ３９］
少なくとも１つのアンテナと、
ネットワーク中で通信するための最小帯域幅と最大帯域幅の両方を示す１つまたは複数のビットを有するフレームを生成するように構成された処理システムと、
前記少なくとも１つのアンテナを介して、前記ネットワーク中の送信のために前記フレームを送信するように構成された送信機と
を備える、アクセスポイント。
［Ｃ４０］
少なくとも１つのアンテナと、
前記少なくとも１つのアンテナを介して、ネットワーク中で送信されたフレームを受信するように構成された受信機と、
前記フレーム中の１つまたは複数のビットに基づいて、前記ネットワーク中で通信するための最小帯域幅と最大帯域幅の両方を決定するように構成された処理システムと
を備える、ワイヤレス局。
［Ｃ４１］
ネットワーク中で通信するための最小帯域幅と最大帯域幅の両方を示す１つまたは複数のビットを有するフレームを生成することと、
前記ネットワーク中の送信のために前記フレームを出力することと
を行うための命令を記憶したコンピュータ可読媒体を備える、ワイヤレス通信のためのコンピュータプログラム製品。
［Ｃ４２］
ネットワーク中で送信されたフレームを取得することと、
前記フレーム中の１つまたは複数のビットに基づいて、前記ネットワーク中で通信するための最小帯域幅と最大帯域幅の両方を決定することと
を行うための命令を記憶したコンピュータ可読媒体を備える、ワイヤレス通信のためのコンピュータプログラム製品。
【図１】
0006266794.tif 000002
【図２】
0006266794.tif 000003
【図３】
0006266794.tif 000004
【図４】
0006266794.tif 000005
【図４Ａ】
0006266794.tif 000006
【図５】
0006266794.tif 000007
【図５Ａ】
0006266794.tif 000008
【図６】
0006266794.tif 000009
【図６Ａ】
0006266794.tif 000010
【図７】
0006266794.tif 000011
【図７Ａ】
0006266794.tif 000012
【図８】
0006266794.tif 000013